(57)【要約】【課題】            リベットのリベット本体の長さが極端に短いものであっても、タブより抜け出ることがなく保持されるリベット保持体を提供する。【解決手段】        上下で対となる上下のタブ６、７にリベット２０を挿通して保持する保持孔８、９が設けられ、この保持孔８、９には、各タブ６、７の先端が切欠れて保持孔８、９に連通する開口１０が設けられ、リベット２０は、該開口１０を介して心軸が保持孔８、９に挿通され、頭部を下タブ７の外面側に位置して並列保持されている。【選択図】          図２
2009041731.tif 000002
【特許請求の範囲】
【請求項１】
送り孔が設けられた垂直部の上下端に、上下で対になる上タブおよび下タブが、切り目を隔てて一定間隔毎に長手方向に並設された断面コ字状の長尺体であって、上下のタブにリベットを挿通して保持する保持孔が設けられ、この保持孔には、各タブの先端が切欠けれて保持孔に連通する開口が設けられ、リベットは、該開口を介して心軸が保持孔に挿通され、頭部を下タブの外面側に位置して並列保持されていることを特徴とするリベット保持体。
【請求項２】
前記上下のタブに設けられた保持孔には、スリットが設けられていることを特徴とする請求項１記載のリベット保持体。
【発明の詳細な説明】
【技術分野】
【０００１】
この発明は、ブラインドリベット（以下、リベットと略称する。）の多数を並列して保持し、連発リベッタに装填してリベッタを連続して打つことができるリベット保持体に関する。
【背景技術】
【０００２】
従来、リベット保持体１Ａとして、図４に示すように送り孔４が設けられた垂直部３の上下端に切れ目（スリット又は間隙）５を隔てて一定間隔ごとに上タブ６および下タブ７が設けられた断面コ字状のプラスチック長尺体２であって、該上下タブ６、７にリベット２０を挿通する保持孔８、９が設けられ、この保持孔８、９にリベット２０を保持させるものが提案されている（例えば、特許文献１、２および３参照）。
これらのリベット保持体１Ａは、上下タブ６、７の保持孔８、９にリベット２０を挿通して保持させるのに、図４に示すようにリベット２０の頭部２２を下タブ７の内面側に位置させている。リベット２０の頭部２２が、図５に示すように下タブ７の外面側（下面）に位置させるのでは、これを連発リベッタのノーズピースに把持させようとするとき、そのノーズピースの干渉力や摩擦力を受けて、リベット２０の心軸２３が上下タブ６、７の保持孔８、９から抜け落ちてしまうおそれがある。然るに、図４に示すようにリベット２０の頭部２２を下タブ７の内面側に当たるように保持させると、リベット打ちする際に、連発リベッタのノーズピースの下降による心軸２３の把持時にも、頭部２２が下タブ７に係止される格好となるので、リベット２０が保持孔８、９から下方に抜け落ちる抵抗になり、ノーズピースに確実に把持される。
【０００３】
しかし、前記特許文献１、２および３に従来例として記載されているように、リベット２０の頭部２２が、リベット保持体の下タブ７の外面側に位置するリベット保持体も示されている。
この種のリベット保持体１Ｂは、図６に示すような上下タブ６、７の保持孔８、９にリベット２０の心軸２３が挿通されて保持されたものであり、また、図７に示すリベット保持体１Ｃのような下タブ７は保持孔９であり、この保持孔９には２本のスリット１２が切り込まれているものである。
この図６に示すようなリベット保持体１Ｂの上下タブ６、７の保持孔８、９、および図７に示すようなリベット保持体１Ｃの下タブ７の保持孔９は、図４に示すような開口１０を備えない孔である。従って、開口１０を備えないので、リベット２０は、リベット保持体１Ｂ、１Ｃには、下タブ７の下面側より保持孔９から上タブ６の保持孔８に挿入されて装着されるので、必然的に頭部２２が下タブ７の下面側に位置することになる。
【０００４】
ところで、本出願人は、先にリベットをリベット保持体に連続して装着することができるリベット装着装置（以下、単にリベット装着装置と称す。）を提案している（例えば、特許文献４参照）。このリベット装着装置では、図４に示すようにリベット保持体１Ａの上タブ６および下タブの保持孔８、９に、リベット２０が開口１０より挿入されて装着されるものである。
しかるに、特許文献１、２および３に従来例として示された図６および図７に示すリベット保持体１Ｂ、１Ｃは、上下タブ６、７の保持孔８、９あるいは下タブ７の保持孔９には、図４に示すような外部に開放する開口１０が存在しないために、リベット保持体にリベット装着装置を使用してリベットを装着することができない。即ち、このリベット保持体１Ｂ、１Ｃでは、リベット装着装置は使用できない。
【０００５】
従って、今では図４に示すような上下タブ６、７の保持孔８、９は、開口１０を有するリベット保持体１Ａを使用しており、このようなリベット保持体１Ａでは、開口１０を有し、リベット２０を保持する信頼性に欠けるため、リベット２０の頭部２２を下タブ７の内面側に位置させていることは、前記した通りである。
【特許文献１】実用新案登録第３０２８７３９号公報
【特許文献２】特開平６−１２６３７０号公報
【特許文献３】特開平１１−３３６７２０号公報
【特許文献４】特開平７−４７４４１号公報
【発明の開示】
【発明が解決しようとする課題】
【０００６】
ところで、リベット２０は、図１０に示すように頭部２２を有するリベット本体２１と、心軸２３とで構成されている。このリベット本体２１の径Ｒおよび長さＨ、心軸２３の径ｒおよび長さｈの異なるものが種々存在する。特に、最近は、リベット本体２１の長さＨが極端に短いリベット２０が登場するようになり、このようなリベット２０を、図４に示すようにリベット保持体の下タブ７の内面側に頭部２２が位置するように装着すると、リベット本体２１の長さＨが短いために、図８に示すように下タブ７から外れてしまう課題がある。これはリベット保持体が、図３に展開して示すような型に打抜き形成した後に、点線１３で示す折り曲げ線より折り曲げられて断面コ字状の長尺体２に形成されているために、上タブ６および下タブ７が、復元力で外側に開こうとするからであり、リベット本体２１の長さＨが短いと上下のタブ６、７、特に下タブ７の外側に開く少しの動きでも下タブ７から外れてしまうからである。しかし、リベット２０のリベット本体２１の長さＨが、従来のようにある程度の長さがある場合には、図９に示すように上下のタブ６、７が外側に開放しても、少しの動きでは外れない。
この発明は、このような点に鑑みリベットのリベット本体の長さが、極端に短いリベットでも外れずに確実に並列保持できるリベット保持体の提供を第１の目的とする。
【０００７】
また、リベット２０は、リベット本体２１の径Ｒおよび心軸２３の径ｒの異なるものが存在するため、リベットのサイズ毎に上下タブ６、７の保持孔８、９および開口１０が適合するものを用意しなければならず、リベット保持体の種類が増える課題がある。
この発明は、このような課題に鑑みリベット２０の心軸２３の径ｒが変化しても対応可能な保持孔とすることによって各サイズのリベットに１種類のリベット保持体で対応可能とすることを第２の目的とする。
【課題を解決するための手段】
【０００８】
前記目的を達成するため、この発明のリベット保持体は、送り孔が設けられた垂直部の上下端に、上下で対になる上タブおよび下タブが、切り目を隔てて一定間隔毎に長手方向に並設された断面コ字状の長尺体であって、上下のタブにリベットを挿通して保持する保持孔が設けられ、この保持孔には、各タブの先端が切欠けれて保持孔に連通する開口が設けられ、リベットは、該開口を介して心軸が保持孔に挿通され、頭部を下タブの外面側に位置して並列保持されていることを特徴とする。
【０００９】
この構成によりリベット保持体に保持されたリベットは、頭部が下タブの外面側に位置して装着されているので、下タブが外方に向かって動いても、リベットの頭部で係止されてリベット本体の保持孔からの抜けが防止される。従って、リベットのリベット本体の長さが極端に短いものであってもタブより抜け出ることがなく保持される。
【００１０】
しかし、このリベット保持体では、リベットの頭部が下タブの外面側に位置して装着されており、上下タブの保持孔は、各タブの先端が切欠れて保持孔に連通する開口が設けられた構成となっている。従って、前記した通り、リベット打ちする時、連発リベッタのノーズピースに把持させようとすると、そのノーズピースの干渉力や摩擦力を受けて、リベットの心軸が上下タブの保持孔から抜け落ちてしまうおそれがある。
しかし、本出願人は、先に特開２００３−１０３３３６号に示す連発リベッタを提供している。この連発リベッタは、リベット打ちする時、ジョーケースに挿入しようとするリベットから挿入されたリベットを真空エジェクタの吸引力で保持する構成となっており、それにより、本発明のリベット保持体でも上下タブの保持孔から抜け落ちてしまうことなくリベット打ちが可能となり、前記課題が解決した本発明のリベット保持体が提供できたものである。
【００１１】
また、この発明のリベット保持体は、前記上下タブに設けた保持孔に、スリットが設けられていることを特徴とする。
この構成により、リベットの心軸の径（外径）が変わっても、保持孔はスリットにより孔径が変化して対応可能となるので、リベットのサイズ毎にリベット保持体を用意しする必要がなくなる。従って、経済的にも有利となる。
【発明の効果】
【００１２】
この発明のリベット保持体によれば、次のような効果を奏する。
（１）リベット保持体に保持されたリベットは、頭部が下タブの外面側に位置して装着されているので、下タブが外方に向かって動いても、リベットの頭部で係止されてリベット本体の保持孔からの抜けが防止される。従って、リベットのリベット本体の長さが極端に短いものであっても、タブより抜け出ることがなく保持される。
（２）リベットの心軸の径（外径）が変わっても、上下タブの保持孔はスリットにより孔径が変化して対応可能となるので、リベットのサイズ毎にリベット保持体を用意する必要がなくなる。１種類のリベット保持体でサイズの異なる数種類のリベットに対応可能となる。
（３）従って、用意するリベット保持体も１種類でよく、少なく済むので経済的であるし、保管場所も少なくて済む。
【発明を実施するための最良の形態】
【００１３】
以下、この発明の実施の形態を図面と共に詳細に説明する。図１は、この発明の実施の形態を示すリベット保持体の斜視図であり、従来例と同一構成要素には同一符号を付して説明する。
この発明のリベット保持体１は、同図に示すように送り孔４が設けられた垂直部３の上下端に、上下で対となる上タブ６および下タブ７が、切れ目（スリット又は間隙）５を隔てて一定間隔毎に長手方向に並設された断面コ字状の長尺体２であって、上下のタブ６、７にリベット２０を挿通して保持する保持孔８、９が設けられ、この保持孔８、９には、各タブ６、７の先端が切欠れて保持孔８、９に連通する開口１０が設けられ、リベット２０は、該開口１０を介して心軸２３が保持孔８、９に挿通され、頭部２２を下タブ７の外面側（下面側）に位置して並列保持されている。
【００１４】
断面コ字状の長尺体２は、垂直部３が長尺な帯状であって、その上下端に、上下で対となる上タブ６および下タブ７が、切れ目５を隔てて一定間隔毎に長手方向に並列して設けられている。上タブ６および下タブ７の形状は特に制限されないが、本例では先端円弧状の長方形で示している。
この上下のタブ６、７には、リベット２０が挿通して保持する保持孔８、９が設けられている。この保持孔８、９には、各タブ６、７の先端に切欠により開口１０が設けられ、リベット２０は、この開口１０を介して心軸２３が保持孔８、９に挿通され、頭部２２を下タブ７の外面側（下面側）に位置させて装着されている。
従って、この上下で対となる上タブ６と下タブ７の位置が、垂直（上下）方向に同一軸線上に位置すると、装着されるリベット２０は、垂直となり、上下で対となる上タブ６と下タブ７の位置が、水平方向（長手方向）に互いにずれていれば、装着されるリベット２０は、傾斜して装着される。
【００１５】
垂直部３に設けられた送り孔４は、リベット保持体１を連発リベッタに装填してリベット打ちする時に、連発リベッタの送り爪が係止してリベット保持体を送り出す孔であり、これによりリベット保持体１に装着されたリベット２０は、１本宛連発リベッタのジョーケースの進退位置に供給されるものである。従って、送り孔４は、リベット保持体１に装着されたリベット２０の、直後に位置するものが順次１本宛、連発リベッタのジョーケースの進退位置に移動されるように一定間隔で穿設されている。この送り孔４の形状は、連発リベッタの送り爪が係止してリベット保持体を送り出すことができる形状であればよく、特に制限はない。しかし、この送り孔４は、リベット装着装置に使用してリベット保持体にリベットを装着する際に、リベット装着装置のスプロケットが係合する孔となることもあるので、その時は、それとの整合も必要となる。
【００１６】
しかして、この実施の形態に係るリベット保持体１によれば、リベット２０の頭部２２が下タブ７の外面側（下面側）に位置して装着されているので、下タブ７が外方（図中下方）に動いても、リベット２０の頭部２２で係止されて、リベット本体２１の保持孔９からの抜けが防止される。従って、リベット２０のリベット本体２１の長さＨが極端に短いものであっても、下タブ７より抜け出ることがなく保持される。
【００１７】
図２は、この発明の他の実施の形態を示すリベット保持体の斜視図である。この実施の形態に係るリベット保持体１は、前記上下のタブ６、７に設けた保持孔８、９に、スリット１１が設けられたものであり、他は前記実施の形態と同様であるので、同一構成要素には同一符号を付して他の詳細な説明は省略する。
この実施の形態に係るリベット保持体１によれば、前記実施の形態に係るリベット保持体１が奏する作用、効果の他に、リベット２０の心軸２３の外径ｒが変わっても、上下タブ６、７の保持孔８、９はスリット１１により孔径が変化可能なので対応可能となる。従って、リベット２０のサイズ毎にリベット保持体１を用意する必要がなくなる。
【００１８】
この発明の実施の形態に係るリベット保持体１では、リベット２０の頭部２２が、下タブ７の外面側（下面側）に位置して装着されており、上下タブ６、７の保持孔８、９は、各タブ６、７の先端が切欠により保持孔８、９に連通する開口１０が設けられている。従って、連発リベッタでリベット打ちする時、連発リベッタのノーズピースに把持させようとすると、そのノーズピースの干渉力や摩擦力を受けて、リベット２０の心軸２３が上下タブ６、７の保持孔８、９から抜け落ちるおそれがある。
しかし、本出願人は、先に特開２００３−１０３３３６号としてリベット打ちする際、ジョーケースに挿入しようとするリベット２０から挿入されたリベット２０を、真空エジェクタの吸引力で保持する構成の連発リベッタを提供している。従って、この連発リベッタを使用することにより、前記リベット保持体１でも上下タブ６、７の保持孔８、９からリベット２０が抜け落ちてしまうことなくリベット打ちが可能となる。
【００１９】
なお、前記実施の形態は、この発明を制限するものではなく、この発明は、要旨を逸脱しない範囲において種々の変形が許容される。
【産業上の利用可能性】
【００２０】
この発明のリベット保持体は、種々のサイズのリベットに適用可能であり、特に、リベット本体の長さが極端に短いリベットに最適である。この発明のリベット保持体は、リベット打ちする際、ジョーケースに挿入しようとするリベット及びジョーケースに挿入されたリベットを、真空エジェクタの吸引力で保持する構成の連発リベッタに使用して最適である。
【図面の簡単な説明】
【００２１】
【図１】この発明の実施の形態を示すリベット保持体の斜視図である。
【図２】この発明の他の実施の形態を示すリベット保持体の斜視図である。
【図３】リベット保持体の展開図である。
【図４】従来のリベット保持体の斜視図である
【図５】従来のリベット保持体の課題を説明する斜視図である。
【図６】リベット保持体の他の従来例を示す斜視図である。
【図７】リベット保持体の更に他の従来例を示す斜視図である。
【図８】従来例の課題を説明する斜視図である。
【図９】他の従来例の作用を説明する斜視図である。
【図１０】リベットを示す斜視図である。
【符号の説明】
【００２２】
１  リベット保持体
２  断面コ字状の長尺体
３  垂直部
４  送り孔
５  切れ目（スリット又は間隙）
６  上タブ
７  下タブ
８、９  保持孔
１０  開口
１１  スリット
２０  リベット
２１  リベット本体
２２  頭部
２３  心軸
【図１】
2009041731.tif 000003
【図２】
2009041731.tif 000004
【図３】
2009041731.tif 000005
【図４】
2009041731.tif 000006
【図５】
2009041731.tif 000007
【図６】
2009041731.tif 000008
【図７】
2009041731.tif 000009
【図８】
2009041731.tif 000010
【図９】
2009041731.tif 000011
【図１０】
2009041731.tif 000012